(57)【要約】【課題】斜め方向からでも、遠方からでも、エスカレータ等の移動通路の走行方向を確認することができる移動通路用ハンドレールを提供する。【解決手段】本発明の移動通路用ハンドレール１１は、芯体１１１（帆布及びスチールコード等からなる。）と、芯体に被覆された弾性体１１２（スチレンブタジエンゴム等からなる。）と、を備え、弾性体の表面に、長さ方向に明度の異なる複数の帯状部（低明度帯状部２１１、中明度帯状部２１２，高明度帯状部２１３）を有する複合帯状体２１が、長さ方向に繰り返し設けられ、Ｌ＊ａ＊ｂ＊表色系により表される各々の明度の差がそれぞれ１０〜４０であり、且つ各々の帯状部の色相がそれぞれ同じであることを特徴とする。【選択図】図５
2009161255.tif 000002
【特許請求の範囲】
【請求項１】
芯体と、該芯体に被覆された弾性体と、を備える移動通路用ハンドレールにおいて、
上記弾性体の表面に、長さ方向に連設された明度の異なる複数の帯状部を有する複合帯状体が、該長さ方向に繰り返し設けられ、Ｌ＊ａ＊ｂ＊表色系により表される各々の該帯状部の明度の差がそれぞれ１０〜４０であり、且つ各々の該帯状部の色相がそれぞれ同じであることを特徴とする移動通路用ハンドレール。
【請求項２】
芯体と、該芯体に被覆された弾性体と、を備える移動通路用ハンドレールにおいて、
上記弾性体の表面に、長さ方向に連設された明度の異なる複数の帯状部を有する複合帯状体が、該長さ方向に繰り返し設けられ、Ｌ＊ａ＊ｂ＊表色系により表される各々の該帯状部の明度の差がそれぞれ１０〜４０であり、且つ各々の該帯状部がいずれも無彩色であることを特徴とする移動通路用ハンドレール。
【請求項３】
上記複合帯状体が、低明度帯状部と高明度帯状部とを有する請求項１又は２に記載の移動通路用ハンドレール。
【請求項４】
上記複合帯状体が、低明度帯状部、中明度帯状部及び高明度帯状部をこの順に有する請求項１又は２に記載の移動通路用ハンドレール。
【請求項５】
各々の上記帯状部の上記長さ方向における寸法がいずれも同じであり、且つ上記複合帯状体が全長さに渡って間欠的に６〜１８個設けられた請求項１乃至４のうちのいずれか１項に記載の移動通路用ハンドレール。
【請求項６】
各々の上記帯状部の間に、上記長さ方向における寸法が該帯状部の各長さの１／１０〜１／３０であり、且つ黄色、橙色又はピンク色の短寸法帯部が設けられた請求項１乃至５のうちのいずれか１項に記載の移動通路用ハンドレール。
【請求項７】
各々の上記短寸法帯部の上記長さ方向における寸法がいずれも同じであり、且つそれぞれの該短寸法帯部の色相がいずれも同じである請求項６に記載の移動通路用ハンドレール。
【請求項８】
上記複合帯状体は樹脂フィルムを基材とし、該樹脂フィルムが上記弾性体の上記表面に貼着されて設けられた請求項１乃至７のうちのいずれか１項に記載の移動通路用ハンドレール。
【請求項９】
上記複合帯状体に情報が記載された請求項１乃至８のうちのいずれか１項に記載の移動通路用ハンドレール。
【請求項１０】
芯体と、該芯体に被覆された弾性体と、を備える移動通路用ハンドレールにおいて、
上記弾性体の表面に、長さ方向に複数の相似な図形が寸法の大きい図形から寸法の小さい図形の順に形成され、且つ各々の図形が同方向を向いて設けられた一対の表示体が、該長さ方向に繰り返し設けられ、それぞれの該表示体の間の各寸法が、各々の相似な図形の間の各寸法より大きいことを特徴とする移動通路用ハンドレール。
【請求項１１】
上記複数の相似な図形の各々の間隔が同一であり、且つ上記表示体が全長さに渡って間欠的に６〜１８個設けられた請求項１０に記載の移動通路用ハンドレール。
【請求項１２】
上記弾性体の少なくとも上記表面が青色、赤色、黒色又は灰色であり、上記表示体が黄色、橙色又はピンク色である請求項１０又は１１に記載の移動通路用ハンドレール。
【請求項１３】
上記相似な図形が矢印であり、且つ該矢印が走行方向を向いている請求項１０乃至１２のうちのいずれか１項に記載の移動通路用ハンドレール。
【請求項１４】
上記相似な図形が菱形であり、且つ該菱形の鋭角側の頂点が走行方向を向いている請求項１０乃至１２のうちのいずれか１項に記載の移動通路用ハンドレール。
【請求項１５】
上記表示体は樹脂フィルムを基材とし、該樹脂フィルムが上記弾性体の上記表面に貼着されて設けられた請求項１０乃至１４のうちのいずれか１項に記載の移動通路用ハンドレール。
【請求項１６】
各々の上記表示体の間に情報が記載された請求項１０乃至１５のうちのいずれか１項に記載の移動通路用ハンドレール。
【請求項１７】
芯体と、該芯体に被覆された弾性体と、を備える移動通路用ハンドレールにおいて、
上記弾性体の表面に、長さ方向に連設された色相の異なる複数の帯状部及び少なくとも１個の短寸法帯部を有する複合帯状体が、該長さ方向に繰り返し設けられ、該短寸法帯部は各々の該帯状部の間に設けられ、該短寸法帯部の長さ方向における寸法が、それぞれの該帯状部の各長さの１／１０〜１／３０であり、且つ該短寸法帯部の色相が複数の該帯状部の該色相のいずれとも異なっていることを特徴とする移動通路用ハンドレール。
【請求項１８】
上記複合帯状体が、第１帯状部、第２帯状部及び１個の短寸法帯部を有する請求項１７に記載の移動通路用ハンドレール。
【請求項１９】
上記複合帯状体が、第１帯状部、第２帯状部、第３帯状部及び２個の短寸法帯部を有する請求項１７に記載の移動通路用ハンドレール。
【請求項２０】
各々の上記帯状部の上記長さ方向における寸法がいずれも同じであり、且つ上記複合帯状体が全長さに渡って間欠的に６〜１８個設けられた請求項１７乃至１９のうちのいずれか１項に記載の移動通路用ハンドレール。
【請求項２１】
各々の上記短寸法帯部の上記長さ方向における寸法がいずれも同じであり、且つそれぞれの該短寸法帯部の色相が同じである請求項２０に記載の移動通路用ハンドレール。
【請求項２２】
上記弾性体の少なくとも上記表面が青色、赤色、黒色又は灰色であり、各々の上記帯状部が該弾性体の該表面とは異なる色相の有彩色であり、すべての上記短寸法帯部が黄色、橙色又はピンク色であり且つ該帯状部のうちの隣り合う帯状部とは異なる色相である請求項１７乃至２１のうちのいずれか１項に記載の移動通路用ハンドレール。
【請求項２３】
上記複合帯状体は樹脂フィルムを基材とし、該樹脂フィルムが上記弾性体の上記表面に貼着されて設けられた請求項１７乃至２２のうちのいずれか１項に記載の移動通路用ハンドレール。
【請求項２４】
上記複合帯状体に情報が記載された請求項１７乃至２３のうちのいずれか１項に記載の移動通路用ハンドレール。
【発明の詳細な説明】
【技術分野】
【０００１】
この発明は、エスカレータ等の移動通路が備える移動通路用ハンドレールに関する。更に詳しくは、本発明は、斜め方向からでも、遠方からでも、移動通路の走行方向を確認することができる移動通路用ハンドレールに関する。
【背景技術】
【０００２】
大型商業施設等に設置されているエスカレータは、昇りと降りの各々のエスカレータが側方から見て交差するように設置されていることが多い。また、空港等のように昇りと降りのそれぞれのエスカレータが離れた位置に設置されていることもある。そのため、エスカレータを利用しようとする人は、昇りと降りとを間違えることのないように乗っている人の動きを見てエスカレータの走行方向を確認することが多い。しかし、エスカレータには人が乗っていないこともあり、乗り口付近へと歩いて行って確認せざるを得ないこともある。この場合、走行方向が反対であるときは、目的とするエスカレータへと移動することになり、少なからず無用な時間を費やすことになる。
【０００３】
このエスカレータの走行方向を確認し易くするため、例えば、走行方向を表示するための案内板が天井から吊り下げられていることもある。しかし、この案内板も、斜め方向から、又は遠方からでは見難く、やはり乗り口付近まで行かないと確認することができないことも多い。また、ハンドレールに何らかの表示を設け、この表示の移動によって走行方向を確認するようにしたエスカレータも提案されている（特許文献１、特許文献２及び特許文献３参照。）。
【０００４】
【特許文献１】実開昭５０−１１４８９０号公報
【特許文献２】特開２００２−２２１９２０号公報
【特許文献３】特開２００２−２２１９２０号公報
【発明の開示】
【発明が解決しようとする課題】
【０００５】
特許文献１に記載されたハンドレールは、同質異色の化粧用カバーゴムにより構成されており、識別し易く、且つ意匠的にも優れていると説明されている。また、特許文献２に記載された手すり（ハンドレール）は、長手方向に沿った片矢印又は両矢印等のマーキングが施されており、遠くからでも移動方向を容易に視認することができると説明されている。更に、特許文献３に記載された移動手摺（ハンドレール）は、側方若しくは斜め正面方向から見てもエスカレータ等の移動方向を視認することができる表示が手摺表面になされており、側方等からでも移動方向を視認することができ、利便性を向上させることができると説明されている。
【０００６】
本発明は上記の従来の状況に鑑みてなされたものであり、ハンドレールの表面に濃淡の帯状部、特定の表示体又は色相の異なる帯状部を設けることにより、斜め方向からでも、遠方からでも、エスカレータ等の移動通路の走行方向を容易に確認することができる移動通路用ハンドレールを提供することを目的とする。
【課題を解決するための手段】
【０００７】
本発明は以下のとおりである。
１．芯体と、該芯体に被覆された弾性体と、を備える移動通路用ハンドレールにおいて、上記弾性体の表面に、長さ方向に連設された明度の異なる複数の帯状部を有する複合帯状体が、該長さ方向に繰り返し設けられ、Ｌ＊ａ＊ｂ＊表色系により表される各々の該帯状部の明度の差がそれぞれ１０〜４０であり、且つ各々の該帯状部の色相がそれぞれ同じであることを特徴とする移動通路用ハンドレール。
２．芯体と、該芯体に被覆された弾性体と、を備える移動通路用ハンドレールにおいて、上記弾性体の表面に、長さ方向に連設された明度の異なる複数の帯状部を有する複合帯状体が、該長さ方向に繰り返し設けられ、Ｌ＊ａ＊ｂ＊表色系により表される各々の該帯状部の明度の差がそれぞれ１０〜４０であり、且つ各々の該帯状部がいずれも無彩色であることを特徴とする移動通路用ハンドレール。
３．上記複合帯状体が、低明度帯状部と高明度帯状部とを有する上記１．又は２．に記載の移動通路用ハンドレール。
４．上記複合帯状体が、低明度帯状部、中明度帯状部及び高明度帯状部をこの順に有する上記１．又は２．に記載の移動通路用ハンドレール。
５．各々の上記帯状部の上記長さ方向における寸法がいずれも同じであり、且つ上記複合帯状体が全長さに渡って間欠的に６〜１８個設けられた上記１．乃至４．のうちのいずれか１項に記載の移動通路用ハンドレール。
６．各々の上記帯状部の間に、上記長さ方向における寸法が該帯状部の各長さの１／１０〜１／３０であり、且つ黄色、橙色又はピンク色の短寸法帯部が設けられた上記１．乃至５．のうちのいずれか１項に記載の移動通路用ハンドレール。
７．各々の上記短寸法帯部の上記長さ方向における寸法がいずれも同じであり、且つそれぞれの該短寸法帯部の色相がいずれも同じである上記６．に記載の移動通路用ハンドレール。
８．上記複合帯状体は樹脂フィルムを基材とし、該樹脂フィルムが上記弾性体の上記表面に貼着されて設けられた上記１．乃至７．のうちのいずれか１項に記載の移動通路用ハンドレール。
９．上記複合帯状体に情報が記載された上記１．乃至８．のうちのいずれか１項に記載の移動通路用ハンドレール。
１０．芯体と、該芯体に被覆された弾性体と、を備える移動通路用ハンドレールにおいて、上記弾性体の表面に、長さ方向に複数の相似な図形が寸法の大きい図形から寸法の小さい図形の順に形成され、且つ各々の図形が同方向を向いて設けられた一対の表示体が、該長さ方向に繰り返し設けられ、それぞれの該表示体の間の各寸法が、各々の相似な図形の間の各寸法より大きいことを特徴とする移動通路用ハンドレール。
１１．上記複数の相似な図形の各々の間隔が同一であり、且つ上記表示体が全長さに渡って間欠的に６〜１８個設けられた上記１０．に記載の移動通路用ハンドレール。
１２．上記弾性体の少なくとも上記表面が青色、赤色、黒色又は灰色であり、上記表示体が黄色、橙色又はピンク色である上記１０．又は１１．に記載の移動通路用ハンドレール。
１３．上記相似な図形が矢印であり、且つ該矢印が走行方向を向いている上記１０．乃至１２．のうちのいずれか１項に記載の移動通路用ハンドレール。
１４．上記相似な図形が菱形であり、且つ該菱形の鋭角側の頂点が走行方向を向いている上記１０．乃至１２．のうちのいずれか１項に記載の移動通路用ハンドレール。
１５．上記表示体は樹脂フィルムを基材とし、該樹脂フィルムが上記弾性体の上記表面に貼着されて設けられた上記１０．乃至１４．のうちのいずれか１項に記載の移動通路用ハンドレール。
１６．各々の上記表示体の間に情報が記載された上記１０．乃至１５．のうちのいずれか１項に記載の移動通路用ハンドレール。
１７．芯体と、該芯体に被覆された弾性体と、を備える移動通路用ハンドレールにおいて、上記弾性体の表面に、長さ方向に連設された色相の異なる複数の帯状部及び少なくとも１個の短寸法帯部を有する複合帯状体が、該長さ方向に繰り返し設けられ、該短寸法帯部は各々の該帯状部の間に設けられ、該短寸法帯部の長さ方向における寸法が、それぞれの該帯状部の各長さの１／１０〜１／３０であり、且つ該短寸法帯部の色相が複数の該帯状部の該色相のいずれとも異なっていることを特徴とする移動通路用ハンドレール。
１８．上記複合帯状体が、第１帯状部、第２帯状部及び１個の短寸法帯部を有する上記１７．に記載の移動通路用ハンドレール。
１９．上記複合帯状体が、第１帯状部、第２帯状部、第３帯状部及び２個の短寸法帯部を有する上記１７．に記載の移動通路用ハンドレール。
２０．各々の上記帯状部の上記長さ方向における寸法がいずれも同じであり、且つ上記複合帯状体が全長さに渡って間欠的に６〜１８個設けられた上記１７．乃至１９．のうちのいずれか１項に記載の移動通路用ハンドレール。
２１．各々の上記短寸法帯部の上記長さ方向における寸法がいずれも同じであり、且つそれぞれの該短寸法帯部の色相が同じである上記２０．に記載の移動通路用ハンドレール。
２２．上記弾性体の少なくとも上記表面が青色、赤色、黒色又は灰色であり、各々の上記帯状部が該弾性体の該表面とは異なる色相の有彩色であり、すべての上記短寸法帯部が黄色、橙色又はピンク色であり且つ該帯状部のうちの隣り合う帯状部とは異なる色相である上記１７．乃至２１．のうちのいずれか１項に記載の移動通路用ハンドレール。
２３．上記複合帯状体は樹脂フィルムを基材とし、該樹脂フィルムが上記弾性体の上記表面に貼着されて設けられた上記１７．乃至２２．のうちのいずれか１項に記載の移動通路用ハンドレール。
２４．上記複合帯状体に情報が記載された上記１７．乃至２３．のうちのいずれか１項に記載の移動通路用ハンドレール。
尚、本発明において、色相が同じとは、赤、橙、黄、黄緑、緑、青緑、青、青紫、紫、赤紫の１０色の同色系であることを意味し、色相が異なるとは、この１０色の同色系ではないことを意味する。
【発明の効果】
【０００８】
明度の異なる複数の帯状部を有する複合帯状体が設けられた本発明の移動通路用ハンドレールによれば、斜め方向からでも、遠方からでも、移動通路の走行方向を容易に確認することができる。
また、各々の帯状部の長さ方向における寸法がいずれも同じであり、且つ複合帯状体が全長さに渡って間欠的に６〜１８個設けられた場合は、移動通路の走行方向を、常時、且つ容易に確認することができる。
更に、各々の帯状部の間に、長さ方向における寸法がそれぞれの帯状部の各長さの１／１０〜１／３０であり、且つ黄色、橙色又はピンク色の短寸法帯部が設けられた場合は、美観が向上するとともに、移動通路の走行方向をより容易に確認することができる。
また、各々の短寸法帯部の長さ方向における寸法がいずれも同じであり、且つそれぞれの短寸法帯部の色相がいずれも同じである場合は、より美観に優れ、移動通路の走行方向をより容易に確認することもできる。
【０００９】
複数の相似な図形からなる表示体を有する他の本発明の移動通路用ハンドレールによれば、斜め方向からでも、遠方からでも、移動通路の走行方向を容易に確認することができる。
また、複数の相似な図形の各々の間隔が同一であり、且つ表示体が全長さに渡って間欠的に６〜１８個設けられた場合は、移動通路の走行方向を、常時、且つ容易に確認することができる。
更に、弾性体の少なくとも表面が青色、赤色、黒色又は灰色であり、表示体が黄色、橙色又はピンク色である場合は、美観が向上し、移動通路の走行方向をより容易に確認することができる。
また、相似な図形が矢印であり、且つ矢印が走行方向を向いている場合、又は相似な図形が菱形であり、且つ菱形の鋭角側の頂点が走行方向を向いている場合も、移動通路の走行方向をより容易に確認することができる。
【００１０】
色相が異なる複数の帯状部を有する複合帯状体が設けられた更に他の本発明の移動通路用ハンドレールによれば、斜め方向からでも、遠方からでも、移動通路の走行方向を容易に確認することができる。
また、各々の帯状部の長さ方向における寸法がいずれも同じであり、且つ複合帯状体が全長さに渡って間欠的に６〜１８個設けられた場合は、移動通路の走行方向を、常時、且つ容易に確認することができる。
更に、各々の短寸法帯部の長さ方向における寸法がいずれも同じであり、且つそれぞれの短寸法帯部の色相が同じである場合は、より美観に優れ、移動通路の走行方向をより容易に確認することもできる。
また、弾性体の少なくとも表面が青色、赤色、黒色又は灰色であり、各々の帯状部が弾性体の表面とは異なる色相の有彩色であり、すべての短寸法帯部が黄色、橙色又はピンク色であり且つ帯状部のうちの隣り合う帯状部とは異なる色相である場合は、美観が向上し、移動通路の走行方向をより容易に確認することができる。
【００１１】
本発明の移動通路用ハンドレール、他の本発明の移動通路用ハンドレール、及び更に他の本発明の移動通路用ハンドレールにおいて、複合帯状体及び表示体が樹脂フィルムを基材とし、樹脂フィルムが弾性体の表面に貼着されて設けられた場合は、既設の移動通路のハンドレールに樹脂フィルムを貼着することで容易に複合帯状体及び表示体を設けることができ、樹脂フィルムの貼り換えにより複合帯状体及び表示体を容易に変更することもできる。
また、複合帯状体及び表示体に情報が記載された場合は、この情報は人と等速で移動するため視認が容易であり、有用な情報となる。
【発明を実施するための最良の形態】
【００１２】
以下、本発明を図面も参照して詳しく説明する。
［１］明度の異なる複数の帯状部を有する複合帯状体が設けられた本発明の移動通路用ハンドレール
本発明の移動通路用ハンドレールは、芯体と、芯体に被覆された弾性体と、を備え、弾性体の表面に、長さ方向に連設された明度の異なる複数の帯状部を有する複合帯状体が、長さ方向に繰り返し設けられ、Ｌ＊ａ＊ｂ＊表色系により表される各々の帯状部の明度の差がそれぞれ１０〜４０であり、且つ各々の帯状部の色相がそれぞれ同じであることを特徴とする。
また、各々の帯状部は無彩色であり、且つ明度が異なっていてもよい。
複合帯状体が有する帯状部の個数は特に限定されないが、２〜５個とすることができ、２個又は３個であることが好ましい。
以下、帯状部が２個又は３個である好ましい態様について詳しく説明する。
【００１３】
（１）低明度帯状部と高明度帯状部とを有する複合帯状体が設けられた移動通路用ハンドレール
第１の実施形態の移動通路用ハンドレールは、複合帯状体が、低明度帯状部と高明度帯状部とを有する。低明度及び高明度の各々の帯状部はともに有彩色であり、色相が同じであって、且つ明度が異なる。また、低明度及び高明度の各々の帯状部はともに無彩色であり、且つ明度が異なるものであってもよい。
【００１４】
移動通路用ハンドレールを有する移動通路としては、エスカレータ１及び、所謂、動く歩道等が挙げられる。これらは人が乗って移動する移動ステップ１２と、側壁１３と、移動ステップと等速で、且つ同方向に周回する移動通路用ハンドレール１１とを備える（図１参照）。
【００１５】
上記「移動通路用ハンドレール１１」（以下、「ハンドレール」ということもある。）は、芯体１１１と、芯体に被覆された弾性体１１２とを備える（図１５参照）。上記「芯体１１１」は、周回時の張力によるハンドレールの伸張等を防止するものであり、ポリエステル、ポリアミド等からなる帆布が積層され、その間にスチールコード等の抗張体が介装されたものが一般的である。上記「弾性体１１２」は、芯体１１１の表面に被覆され、人の目に触れ、且つ人が上面に手を置いたり、握ったりすることも多い。そのため、スチレンブタジエンゴム、クロロプレンゴム及びウレタンゴム等のゴム並びに各種エラストマーなどを用いた化粧ゴムからなり、十分な美観を有するとともに適度に柔軟である。
【００１６】
上記「複合帯状体２１」は、上記「低明度帯状部２１１」と、上記「高明度帯状部２１３」とが連設されてなる（図２参照）。複合帯状体２１は弾性体１１２の表面のうちの人が視認することができる部位に設けられておればよいが、弾性体１１２の表面のうちの上面の平坦部及び側面の曲面部に設けられていることが好ましい。このように複合帯状体２１が弾性体の幅方向における端部を除く略全幅に渡って設けられておれば、斜め方向からでも、遠方からでも、移動通路の走行方向を確認することができるため好ましい。
【００１７】
複合帯状体２１は、ハンドレールの長さ方向に繰り返し設けられており、移動通路を利用する人は移動通路の走行方向を、常時、且つ容易に確認することができる。この複合帯状体２１は明度の異なる２種類の帯状部を有し、各々の帯状部のハンドレールの長さ方向における寸法は同じであってもよく、異なっていてもよいが、同じであることが好ましい。また、複合帯状体２１は、ハンドレールの全長さに渡って設けられていてもよく、設けられていない部分があってもよいが、間欠的に設けられていることが好ましい。
【００１８】
複合帯状体２１は、低明度帯状部２１１と高明度帯状部２１３の各々の長さ方向における寸法が同じであり、且つハンドレールの全長さに渡って間欠的に６〜１８個、特に１２〜１８個設けられていることがより好ましい。低明度帯状部と高明度帯状部とが同寸法であれば、見る人に落ち着いた印象を与えることができる。また、複合帯状体２１は全長さに渡って間欠的に、且つ等間隔に６〜１８個、特に１２〜１８個設けられていることが特に好ましく（図１参照）、このようなハンドレールであれば、移動通路を利用する人は移動通路の走行方向を、常時、且つ容易に確認することができる。
【００１９】
低明度帯状部と高明度帯状部の各々の明度の差は１０〜４０であり、１５〜３５であることが好ましい。人の視力には差があるが、低明度帯状部と高明度帯状部のそれぞれの明度の差が１０〜４０であれば、これらの２種類の帯状部の移動によって移動通路の走行方向を容易に確認することができるとともに、適度な明度差であるため、見る人に落ち着いた印象を与えることができる。
【００２０】
低明度帯状部２１１と高明度帯状部２１３とは、隙間なく連設されていてもよく（図２参照）、低明度帯状部と高明度帯状部との間に、長さ方向における寸法が各々の帯状部の長さの１／１０〜１／３０、特に１／１５〜１／２５であり、且つ黄色、橙色又はピンク色の短寸法帯部２１ａが設けられていてもよい（図３及び図４参照）。このような短寸法帯部が設けられた場合、低明度帯状部及び高明度帯状部の移動のみでなく、短寸法帯部の移動によっても移動通路の走行方向を確認することができる。更に、この短寸法帯部によりハンドレールの美観も向上する。
尚、複合帯状体２１が、ハンドレールの全長さに渡って設けられている場合、各々の複合帯状体は隙間なく連設されていてもよく、それぞれの複合帯状体の間に上記と同様の短寸法帯部が設けられていてもよい。
【００２１】
複合帯状体２１には、情報が記載されていてもよい。この情報は、低明度帯状部２１１及び／又は高明度帯状部２１３に記載することができるが、少なくとも高明度帯状部２１３に記載されていることが好ましい。高明度帯状部２１３に記載されておれば、情報をより明瞭に視認することができるため好ましい。この情報は文字のみ、図形のみ、及び文字と図形の両方によって表記されたものであってもよい。情報の種類も特に限定されず、小売店、公共施設、鉄道の駅及び空港等、移動通路の設置箇所により、それぞれの目的に応じた情報を記載することができる。例えば、小売店であれば、各階の販売商品及び催し物等に関する情報、公共施設であれば、担当窓口等に関する情報、鉄道の駅であれば、乗車ホームの案内及び乗り換えの案内等に関する情報、空港であれば、国内線又は国際線の案内及び鉄道への乗り換えの案内などを記載することができる。
【００２２】
（２）低明度帯状部、中明度帯状部及び高明度帯状部を有する複合帯状体が設けられた移動通路用ハンドレール
第２の実施形態の移動通路用ハンドレールは、複合帯状体が、低明度帯状部、中明度帯状部及び高明度帯状部をこの順に有する。低明度、中明度及び高明度の各々の帯状部はともに有彩色であり、色相が同じであって、且つ明度が異なる。また、低明度、中明度及び高明度の各々の帯状部はともに無彩色であり、且つ明度が異なるものであってもよい。
これらの第２の実施形態における移動通路及び移動通路用ハンドレールについては、前記の第１の実施形態における記載をそのまま適用することができる。
【００２３】
上記「複合帯状体２１」（本発明の第１の実施形態の移動通路用ハンドレールにおける複合帯状体に更に中明度帯状部２１２が設けられた態様であるが同符号を付する。）は、上記「低明度帯状部２１１」と、上記「中明度帯状部２１２」と、上記「高明度帯状部２１３」とが連設されてなる（図５参照）。複合帯状体２１は弾性体１１２の表面のうちの人が視認することができる部位に設けられておればよいが、弾性体１１２の表面のうちの上面の平坦部及び側面の曲面部に設けられていることが好ましい。このように複合帯状体２１が弾性体の表面の幅方向における端部を除く略全幅に渡って設けられておれば、斜め方向からでも、遠方からでも、移動通路の走行方向を確認することができるため好ましい。
【００２４】
複合帯状体２１は、ハンドレールの長さ方向に繰り返し設けられており、移動通路を利用する人は移動通路の走行方向を確認することができる。この複合帯状体２１は、それぞれ明度の異なる３種類の帯状部を有し、各々の帯状部のハンドレールの長さ方向における寸法は同じであってもよく、異なっていてもよいが、同じであることが好ましい。また、複合帯状体２１は、ハンドレールの全長さに渡って設けられていてもよく、設けられていない部分があってもよいが、間欠的に設けられていることが好ましい。
【００２５】
複合帯状体２１は、低明度帯状部２１１、中明度帯状部２１２及び高明度帯状部２１３の各々の長さ方向における寸法が同じであり、且つハンドレールの全長さに渡って間欠的に６〜１８個、特に１２〜１８個設けられていることがより好ましい。低明度、中明度及び高明度の各々の帯状部がいずれも同寸法であれば、見る人に落ち着いた印象を与えることができる。また、複合帯状体２１は全長さに渡って間欠的に、且つ等間隔に６〜１８個、特に１２〜１８個設けられていることが特に好ましく、このようなハンドレールであれば、移動通路を利用する人は移動通路の走行方向を、常時、且つ容易に確認することができる。
【００２６】
低明度帯状部と中明度帯状部の各々の明度の差、及び中明度帯状部と高明度帯状部のそれぞれの明度の差は１０〜４０であり、１５〜３５であることが好ましい。人の視力には差があるが、低明度帯状部、中明度帯状部及び高明度帯状部の各々の明度の差が１０〜４０であれば、これらの３種類の帯状部の移動によって移動通路の走行方向を十分に確認することができる。
【００２７】
低明度帯状部２１１、中明度帯状部２１２及び高明度帯状部２１３は、それぞれ隙間なく連設されていてもよく（図５参照）、各々の帯状部の間に、長さ方向における寸法がそれぞれの帯状部の長さの１／１０〜１／３０、特に１／１５〜１／２５であり、且つ黄色、橙色又はピンク色の短寸法帯部２１ａ、２１ｂが設けられていてもよい（図６、図７及び図８参照）。このような短寸法帯部が設けられた場合、各々の帯状部の移動のみでなく、短寸法帯部の移動によっても移動通路の走行方向を確認することができる。更に、この短寸法帯部によりハンドレールの美観も向上する。
尚、複合帯状体２１が、ハンドレールの全長さに渡って設けられている場合、各々の複合帯状体は隙間なく連設されていてもよく、それぞれの複合帯状体の間に上記と同様の短寸法帯部が設けられていてもよい。
【００２８】
複合帯状体２１には、情報が記載されていてもよい（図７参照）。この情報は、低明度帯状部２１１、中明度帯状部２１２及び高明度帯状部２１３のうちの少なくとも１箇所に記載されておればよいが、中明度帯状部２１２及び高明度帯状部２１３、特に高明度帯状部２１３に記載されていることが好ましい。中明度帯状部２１２及び高明度帯状部２１３、特に高明度帯状部２１３に記載されておれば、情報をより明瞭に視認することができるため好ましい。この情報については第１の実施の形態における記載をそのまま適用することができる。
【００２９】
［２］複数の相似な図形からなる表示体が設けられた他の本発明の移動通路用ハンドレール
第３の実施形態の移動通路用ハンドレールは、芯体と、芯体に被覆された弾性体とを備え、弾性体の表面に、長さ方向に複数の相似な図形が寸法の大きい図形から寸法の小さい図形の順に形成され、且つ各々の図形が同方向を向いて設けられた一対の表示体が、長さ方向に繰り返し設けられ、それぞれの表示体の間の各寸法が、各々の相似な図形の間の各寸法より大きいことを特徴とする。
この第３の実施形態における移動通路及び移動通路用ハンドレールについては、前記の第１の実施形態における記載をそのまま適用することができる。
【００３０】
上記「表示体２２」は、上記「複数の相似な図形」からなる。表示体２２は弾性体１１２の表面のうちの人が視認することができる部位に設けられておればよいが、弾性体１１２の表面のうちの上面の平坦部及び側面の曲面部に設けられていることが好ましい。このように表示体２２が弾性体の表面の幅方向における端部を除く略全幅に渡って設けられておれば、斜め方向からでも、遠方からでも、移動通路の走行方向を確認することができるため好ましい。
【００３１】
表示体２２は、ハンドレールの長さ方向に繰り返し設けられており、移動通路を利用する人は移動通路の走行方向を確認することができる。各々の表示体２２における図形の個数は特に限定されないが、２〜５個、特に２〜３個であればよく、３個であることが好ましい。また、それぞれの図形の寸法の差も特に限定されないが、最も大きい図形から順に直前の図形の大きさに対して５０〜８０％、特に６０〜７０％の大きさに縮小された図形であることが好ましい。更に、各々の表示体２２の間の寸法は、それぞれの相似な図形の間の寸法より大きく、表示体２２の間の寸法は、各々の相似な図形の間の寸法のうちの最大の寸法の２〜８倍、特に３〜６倍であることが好ましい。
【００３２】
また、表示体２２における各々の相似な図形の間の距離は同じであってもよく、異なっていてもよいが、同じであることが好ましい。更に、それぞれの表示体２２の間の距離も同じであってもよく、異なっていてもよいが、同じであることが好ましい。また、表示体２２は、通常、間欠的に設けられる。
【００３３】
表示体２２は、各々の相似な図形の間の距離が同じであり、且つハンドレールの全長さに渡って間欠的に６〜１８個、特に１２〜１８個設けられていることがより好ましい。更に、表示体２２は、それぞれの相似な図形の間の距離が同じであり、ハンドレールの全長さに渡って間欠的に、且つ等間隔に６〜１８個、特に１２〜１８個設けられていることが特に好ましい（図１参照）。このようなハンドレールであれば、移動通路を利用する人は移動通路の走行方向を、常時、且つ容易に確認することができる。
【００３４】
表示体２２の色相は特に限定されない。例えば、弾性体１１２の少なくとも表面が、青色、赤色、黒色又は灰色である場合、表示体２２は、黄色、橙色又はピンク色とすることができる。このようなハンドレールであれば、移動通路の走行方向を容易に確認することができ、ハンドレールの美観も向上する。
【００３５】
相似な図形の形状は特に限定されないが、例えば、矢印とすることができる（図９参照）。この矢印が走行方向を向くように表示体２２を設けることにより、移動通路の走行方向がより明確となり好ましい。また、図形が矢印である場合、移動通路が停止していても動作時の走行方向を推定することができる。例えば、通常は停止しており、センサーによって人を感知して走行する移動通路では、停止していても走行方向を推定することができる。更に、相似な図形は菱形とすることもでき（図１０参照）、この菱形の鋭角側の頂点が走行方向を向くように表示体２２を設けた場合、大小の菱形の移動により、移動通路の走行方向を容易に確認することができるため好ましい。
【００３６】
各々の表示体２２の間には、情報が記載されていてもよい。この情報については第１の実施の形態における記載をそのまま適用することができる。
【００３７】
［３］色相が異なる複数の帯状部を有する複合帯状体が設けられた更に他の本発明の移動通路用ハンドレール
更に他の本発明の移動通路用ハンドレールは、芯体と、芯体に被覆された弾性体と、を備え、弾性体の表面に、長さ方向に連設された色相の異なる複数の帯状部及び短寸法帯部を有する複合帯状体が、長さ方向に繰り返し設けられ、短寸法帯部は各々の帯状部の間に設けられ、短寸法帯部の長さ方向における寸法が、それぞれの帯状部の各長さの１／１０〜１／３０であり、且つ短寸法帯部の色相が複数の帯状部の色相のいずれとも異なっていることを特徴とする。
複合帯状体が有する帯状部の個数は特に限定されないが、２〜５個とすることができ、２又は３個であることが好ましい。
以下、帯状部が２又は３個である好ましい態様について詳しく説明する。
【００３８】
（１）色相の異なる第１帯状部と第２帯状部とを有する複合帯状体が設けられた移動通路用ハンドレール
第４の実施形態の移動通路用ハンドレールは、複合帯状体が、第１帯状部、第２帯状部及び１個の短寸法帯部を有する。
この第４の実施形態における移動通路及び移動通路用ハンドレールについては、前記の第１の実施形態における記載をそのまま適用することができる。
【００３９】
上記「複合帯状体２３」は、上記「第１帯状部２３１」と、上記「短寸法帯部２３ａ」と、上記「第２帯状部２３２」と、がこの順に連設されてなる（図１１及び図１２参照）。複合帯状体２３は弾性体１１２の表面のうちの人が視認することができる部位に設けられておればよいが、弾性体１１２の表面のうちの上面の平坦部及び側面の曲面部に設けられていることが好ましい。このように複合帯状体２３が弾性体の幅方向における端部を除く略全幅に渡って設けられておれば、斜め方向からでも、遠方からでも、移動通路の走行方向を確認することができるため好ましい。また、複合帯状体２３は、ハンドレールの長さ方向に繰り返し設けられており、移動通路を利用する人は移動通路の走行方向を、常時、且つ容易に確認することができる。
【００４０】
複合帯状体２３は色相が異なる２種類の帯状部を有し、各々の帯状部のハンドレールの長さ方向における寸法は同じであってもよく、異なっていてもよいが、同じであることが好ましい。また、複合帯状体２３は、色相が同じであり、且つその色相が第１帯状部及び第２帯状部の各色相と異なる短寸法帯部２３ａを有し、この短寸法帯部のハンドレールの長さ方向における寸法も同じであってもよく、異なっていてもよいが、同じであることが好ましい。更に、複合帯状体２３は、ハンドレールの全長さに渡って設けられていてもよく、設けられていない部分があってもよいが、間欠的に設けられていることが好ましい。
【００４１】
短寸法帯部２３ａの長さ方向における寸法は、第１帯状部２３１及び第２帯状部２３２の各寸法の１／１０〜１／３０であり、１／１５〜１／２５であることが好ましい。このような短寸法帯部が設けられた場合、第１帯状部及び第２帯状部の移動のみでなく、それぞれの短寸法帯部の移動によっても移動通路の走行方向を確認することができる。更に、これらの短寸法帯部によりハンドレールの美観も向上する。
【００４２】
また、第１帯状部２３１と第２帯状部２３２の各々の長さ方向における寸法は同じであることが好ましく、且つ複合帯状体２３が全長さに渡って間欠的に６〜１８個、特に１２〜１８個設けられていることがより好ましい。各々の帯状部が同寸法であれば、見る人に落ち着いた印象を与えることができる。更に、複合帯状体２３は全長さに渡って間欠的に、且つ等間隔に６〜１８個、特に１２〜１８個設けられていることが特に好ましく（図１参照）、このようなハンドレールであれば、移動通路を利用する人は移動通路の走行方向を、常時、且つ容易に確認することができる。
尚、複合帯状体２３が、ハンドレールの全長さに渡って設けられている場合、各々の複合帯状体は隙間なく連設されていてもよく、それぞれの複合帯状体の間に上記と同様の短寸法帯部が設けられていてもよい。
【００４３】
各々の帯状部及び短寸法帯部の各色相は特に限定されない。例えば、弾性体の少なくとも表面が、青色、赤色、黒色又は灰色である場合、第１帯状部及び第２帯状部の各々を弾性体の表面とは異なる色相の有彩色とし、短寸法帯部を黄色、橙色又はピンク色であり且つ帯状部のうちの隣り合う帯状部とは異なる色相の有彩色とすることができる。このようなハンドレールであれば、移動通路の走行方向を容易に確認することができ、ハンドレールの美観も向上する。
【００４４】
複合帯状体２３には、情報が記載されていてもよい。この情報は、各々の帯状部及び短寸法帯部のいずれに記載されていてもよいが、帯状部に記載すれば、より多くの情報を提供することができるため好ましい。この情報については第１の実施の形態における記載をそのまま適用することができる。
【００４５】
（２）色相の異なる第１帯状部、第２帯状部及び第３帯状部を有する複合帯状体が設けられた移動通路用ハンドレール
第５の実施形態の移動通路用ハンドレールは、複合帯状体が、第１帯状部、第２帯状部、第３帯状部及び２個の短寸法帯部を有する。
この第５の実施形態における移動通路及び移動通路用ハンドレールについては、前記の第１の実施形態における記載をそのまま適用することができる。
【００４６】
上記「複合帯状体２３」（第４の実施形態の移動通路用ハンドレールにおける複合帯状体に更に第３帯状部２３３及び短寸法帯部２３ｂが設けられた態様であるが同符号を付する。）は、上記「第１帯状部２３１」と、上記「短寸法帯部」のうちの一方の短寸法帯部２３ａと、上記「第２帯状部２３２」と、他方の短寸法帯部２３ｂと、上記「第３帯状部２３３」と、がこの順に連設されてなる（図１３及び図１４参照）。複合帯状体２３は弾性体１１２の表面のうちの人が視認することができる部位に設けられておればよいが、弾性体１１２の表面のうちの上面の平坦部及び側面の曲面部に設けられていることが好ましい。このように複合帯状体２３が弾性体の幅方向における端部を除く略全幅に渡って設けられておれば、斜め方向からでも、遠方からでも、移動通路の走行方向を確認することができるため好ましい。また、複合帯状体２３は、ハンドレールの長さ方向に繰り返し設けられており、移動通路を利用する人は移動通路の走行方向を、常時、且つ容易に確認することができる。
【００４７】
複合帯状体２３は色相が異なる３種類の帯状部を有し、各々の帯状部のハンドレールの長さ方向における寸法は同じであってもよく、異なっていてもよいが、同じであることが好ましい。また、複合帯状体２３は、それぞれの色相が同じであり、且つその色相が第１帯状部、第２帯状部及び第３帯状部のうちの隣り合う帯状部の色相とは異なる２個の短寸法帯部を有し、これらの短寸法帯部のハンドレールの長さ方向における寸法も同じであってもよく、異なっていてもよいが、同じであることが好ましい。更に、複合帯状体２３は、ハンドレールの全長さに渡って設けられていてもよく、設けられていない部分があってもよいが、間欠的に設けられていることが好ましい。
【００４８】
短寸法帯部２３ａ、２３ｂの各々の長さ方向における寸法は、第１帯状部２３１、第２帯状部２３２及び第３帯状部２３３の各寸法の１／１０〜１／３０であり、１／１５〜１／２５であることが好ましい。このような短寸法帯部が設けられた場合、第１帯状部、第２帯状部及び第３帯状部の移動のみでなく、それぞれの短寸法帯部の移動によっても移動通路の走行方向を確認することができる。更に、これらの短寸法帯部によりハンドレールの美観も向上する。
【００４９】
また、第１帯状部２３１、第２帯状部２３２及び第３帯状部２３３の各々の長さ方向における寸法、及びそれぞれの短寸法帯部の長さ方向における寸法、がいずれも同じであることがより好ましく、且つ複合帯状体２３が全長さに渡って間欠的に６〜１８個、特に１２〜１８個設けられていることがより好ましい。各々の帯状部が同寸法であり、且つそれぞれの短寸法帯部が同寸法であれば、見る人に落ち着いた印象を与えることができる。更に、複合帯状体２３は全長さに渡って間欠的に、且つ等間隔に６〜１８個、特に１２〜１８個設けられていることが特に好ましく（図１参照）、このようなハンドレールであれば、移動通路を利用する人は移動通路の走行方向を常時、且つ容易に確認することができる。
尚、複合帯状体２３が、ハンドレールの全長さに渡って設けられている場合、各々の複合帯状体は隙間なく連設されていてもよく、それぞれの複合帯状体の間に上記と同様の短寸法帯部が設けられていてもよい。
【００５０】
各々の帯状部及びそれぞれの短寸法帯部の各色相は特に限定されない。例えば、弾性体の少なくとも表面が、青色、赤色、黒色又は灰色である場合、第１帯状部、第２帯状部及び第３帯状部の各々を弾性体の表面とは異なる色相の有彩色とし、すべての短寸法帯部を黄色、橙色又はピンク色であり且つ帯状部のうちの隣り合う帯状部とは異なる色相の有彩色とすることができる。このようなハンドレールであれば、移動通路の走行方向を容易に確認することができ、ハンドレールの美観も向上する。
【００５１】
複合帯状体２３には、情報が記載されていてもよい。この情報は、各々の帯状部及びそれぞれの短寸法帯部のいずれに記載されていてもよいが、帯状部に記載すれば、より多くの情報を提供することができるため好ましい。この情報については第１の実施の形態における記載をそのまま適用することができる。
【００５２】
複合帯状体２１、表示体２２及び複合帯状体２３の各々の形成方法は特に限定されない。例えば、印刷等により複合帯状体又は表示体が設けられた樹脂フィルムをハンドレールの表面に貼着することで形成することができる。また、複合帯状体又は表示体をハンドレールの表面に直接印刷して形成することもできる。これらの方法のうちでは複合帯状体又は表示体が設けられた樹脂フィルムを貼着する方法が好ましい。この方法であれば、既設の移動通路のハンドレールに樹脂フィルムを貼着することで容易に複合帯状体又は表示体を有する移動通路用ハンドレールとすることができる。また、樹脂フィルムの貼り換えにより複合帯状体又は表示体を容易に変更することができる。
【図面の簡単な説明】
【００５３】
【図１】複合帯状体又は表示体が間欠的に、且つ等間隔に設けられた移動通路用ハンドレールを備えるエスカレータの斜視図である。
【図２】明度の異なる２種類の帯状部を有する複合帯状体が設けられた移動通路用ハンドレールの一部を示す説明図である。
【図３】明度の異なる２種類の帯状部と、各々の帯状部の間に設けられた短寸法帯部と、を有する移動通路用ハンドレールの一部を示す説明図である。
【図４】平面形状が異なる他は図３と同様に帯状部と短寸法帯部とが設けられた移動通路用ハンドレールの一部を示す説明図である。
【図５】明度の異なる３種類の帯状部を有する複合帯状体が設けられた移動通路用ハンドレールの一部を示す説明図である。
【図６】明度の異なる３種類の帯状部と、各々の帯状部の間に設けられ、且つそれぞれが同じ色相の短寸法帯部と、を有する移動通路用ハンドレールの一部を示す説明図である。
【図７】図６において明度の低い帯状部に情報が記載された移動通路用ハンドレールの一部を示す説明図である。
【図８】平面形状が異なり、情報が記載されていない他は図６と同様に帯状部と短寸法帯部とが設けられた移動通路用ハンドレールの一部分を示す説明図である。
【図９】相似な矢印からなる一対の表示体が繰り返し設けられた移動通路用ハンドレールの一部を示す説明図である。
【図１０】相似な菱形からなる一対の表示体が繰り返し設けられた移動通路用ハンドレールの一部を示す説明図である。
【図１１】色相の異なる２種類の帯状部と、各々の帯状部の間に設けられ、且つそれぞれの帯状部と色相の異なる短寸法帯部と、を有する移動通路用ハンドレールの一部を示す説明図である。
【図１２】平面形状が異なる他は図１１と同様に帯状部と短寸法帯部とが設けられた移動通路用ハンドレールの一部の斜視図である。
【図１３】色相の異なる３種類の帯状部と、各々の帯状部の間に設けられ、それぞれの帯状部と色相が異なり、且つ各々の色相が同じである短寸法帯部と、を有する移動通路用ハンドレールの一部の斜視図である。
【図１４】平面形状が異なる他は図１３と同様に帯状部と短寸法帯部とが設けられた移動通路用ハンドレールの一部を示す説明図である。
【図１５】弾性体の上面の平坦部及び側面の曲面部に樹脂フィルムが貼着され、複合帯状体又は表示体が設けられた移動通路用ハンドレールの断面を示す説明図である。
【符号の説明】
【００５４】
１；エスカレータ（移動通路）、１１；移動通路用ハンドレール、１１１；芯体、１１２；弾性体、１２；移動ステップ、１３；側壁、２；複合帯状体又は表示体、２１；複合帯状体、２１１；低明度帯状部、２１２；中明度帯状部、２１３；高明度帯状部、２１ａ；短寸法帯部、２１３ａ；記載された情報、２２；表示体、２２１；複数の相似な矢印（表示体）、２２２；複数の相似な菱形（表示体）２３；複合帯状体、２３１；青色、２３２；白色、２３３；ピンク色、２３ａ、２３ｂ；短寸法帯部。
【図１】
2009161255.tif 000003
【図２】
2009161255.tif 000004
【図３】
2009161255.tif 000005
【図４】
2009161255.tif 000006
【図５】
2009161255.tif 000007
【図６】
2009161255.tif 000008
【図７】
2009161255.tif 000009
【図８】
2009161255.tif 000010
【図９】
2009161255.tif 000011
【図１０】
2009161255.tif 000012
【図１１】
2009161255.tif 000013
【図１２】
2009161255.tif 000014
【図１３】
2009161255.tif 000015
【図１４】
2009161255.tif 000016
【図１５】
2009161255.tif 000017